(57)【要約】【課題】  クランプエリアが塗装された８ｃｍＣＤが挿入された際に１２ｃｍＣＤと誤判定されることがあったという従来の問題を解決するものであり、クランプエリアの塗装によって生じる誤判定をなくすこと。  【解決手段】  複数の光検出手段のうち、奥に配置された第４の光検出手段７Ｄ、１３Ｄを遮光する移動可能な遮光手段１５Ａを備え、遮光手段１５Ａが、ディスク挿入口に挿入されたディスクの移送動作に連動して移動し第４の光検出手段７Ｄ、１３Ｄを遮光し、光検出手段の検出結果に基づいて、ディスクの誤判定を防止する。【選択図】  図４
2005122897.tif 000002
【特許請求の範囲】
【請求項１】
ディスク挿入口に挿入されたディスクにより遮光される複数の光検出手段と、前記複数の光検出手段の検出結果に基づいて上記ディスクのローディングを制御する制御手段と、前記複数の光検出手段の少なくとも１つを遮光する移動可能な遮光手段とを具備し、前記複数の光検出手段は、ディスク挿入口の幅方向のほぼ中央に配置された第１の光検出手段と、ディスク挿入口の幅方向の端部側に配置された第２の光検出手段と、前記第１および第２の光検出手段より奥に配置された第３の光検出手段と前記第３の光検出手段よりもさらに奥に配置された第４の光検出手段とを含み、前記遮光手段は、前記ディスク挿入口に挿入されたディスクの移送動作に連動して移動し前記第４の光検出手段を遮光することを特徴とするディスク判別装置。
【請求項２】
複数の光検出手段の検出結果に基づいてディスクローディング用のローラの正転、逆転を制御する制御手段を具備してなる請求項１記載のディスク判別装置。
【請求項３】
大径のディスクまたは中央に小径ディスクが保持されたアダプターと、小径ディスクまたは中央に小径ディスクが保持されていないアダプターとを判別し、大径のディスクまたは中央に小径ディスクが保持されたアダプターのみをローディングする請求項１のいずれか記載のディスク判別装置。
【発明の詳細な説明】
【技術分野】
【０００１】
本発明は、ＣＤ（コンパクトディスク）などのディスクに記録された情報を再生するディスクプレーヤ、ディスクチェンジャー装置に使用するディスク判別装置に使用するディスク判別装置に関する。
【背景技術】
【０００２】
従来よりディスク挿入口に挿入されたディスクの大きさなどを判別し、適正なディスクのみをローディング機構により装置内の所定の位置まで移送するディスクチェンジャー装置などが知られている。例えば、８ｃｍＣＤと１２ｃｍＣＤとを判別し、１２ｃｍＣＤの挿入が検出された際にのみこの１２ｃｍＣＤをローディングし、８ｃｍＣＤの挿入が検出された際には８ｃｍＣＤを排出する機構が知られている。
【０００３】
図１０は８ｃｍＣＤを中心に保持し、外径が１２ｃｍＣＤと同一のアダプターを示している。図１０において、１は樹脂製のリング形のアダプターであり、このアダプター１の中央には、孔２が形成されている。３は孔２の孔縁部に形成されたディスク保持片であり、８ｃｍＣＤの外周部が上記ディスク保持片３により保持される。４はアダプター１に形成されたスリットであり、これらスリット４を形成することにより可撓性を有するディスク保持片３が構成される。このようにアダプター１にスリット４を形成しディスク保持片３に可撓性を持たせることにより、アダプター１の中心部に８ｃｍＣＤを容易に保持できるものである。
【０００４】
従来、１２ｃｍＣＤが検出された際にはこの１２ｃｍＣＤをローディング機構によって装置内に移送し、また８ｃｍＣＤが検出された際にはこの８ｃｍＣＤを排出するが、８ｃｍＣＤが保持されたアダプター１が検出された際には１２ｃｍＣＤと同様にローディング機構によって装置内に移送するディスク判別装置が知られている。
【０００５】
しかしながら、上記従来のディスク判別装置、特に挿入されたディスクを複数個のフォトカプラで判別するディスク判別装置では、アダプター１に形成されたスリットを光が透過するため、誤判定する場合があった。
【０００６】
図１１は８ｃｍＣＤを示している。通常８ｃｍＣＤは中央の孔の孔縁部Ｘ（クランプエリア）は透明になっているが、このクランプエリアＸに塗装を施しているものが存在し、このクランプエリアが塗装された８ｃｍＣＤが挿入された際に１２ｃｍＣＤと誤判定されることがあった。
【発明の開示】
【発明が解決しようとする課題】
【０００７】
以上のように従来のディスク判別装置では、このクランプエリアＸに塗装を施しているものが存在し、このクランプエリアが塗装された８ｃｍＣＤが挿入された際に１２ｃｍＣＤと誤判定されることがあった。
【０００８】
本発明は、上記従来の問題を解決するものであり、クランプエリアの塗装によって誤判定することがないディスク判別装置を提供することを目的とするものである。
【課題を解決するための手段】
【０００９】
本発明のディスク判別装置は、ディスク挿入口に挿入されたディスクにより遮光される
複数の光検出手段と、前記複数の光検出手段の検出結果に基づいて上記ディスクのローディングを制御する制御手段と、前記複数の光検出手段の少なくとも１つを遮光する移動可能な遮光手段とを具備し、前記複数の光検出手段は、ディスク挿入口の幅方向のほぼ中央に配置された第１の光検出手段と、ディスク挿入口の幅方向の端部側に配置された第２の光検出手段と、前記第１および第２の光検出手段より奥に配置された第３の光検出手段と前記第３の光検出手段よりもさらに奥に配置された第４の光検出手段とを含み、前記遮光手段は、前記ディスク挿入口に挿入されたディスクの移送動作に連動して移動し前記第４の光検出手段を遮光する構成を有している。
【００１０】
この構成により、中央孔のクランプエリアが塗装された小径ディスクを大径ディスクと誤判定することが防止される。
【００１１】
また、本発明ディスク判別装置は複数の光検出手段の検出結果に基づいてディスクローディング用のローラの正転、逆転を制御する制御手段を具備した構成を有している。
【００１２】
この構成により、ローラの正転、逆転を制御するため、制御手段の構成が簡単になるものである。
【００１３】
さらに、本発明のディスク判別装置は、大径のディスクまたは中央に小径ディスクが保持されたアダプターと、小径ディスクまたは中央に小径ディスクが保持されていないアダプターとを判別し、大径のディスクまたは中央に小径ディスクが保持されたアダプターのみをローディングする構成を有している。
【００１４】
この構成により、大径のディスク、アダプターのみを対象とするため、ディスクプレーヤ、ディスクチェンジャーの構成が簡単になるものである。
【発明の効果】
【００１５】
本発明は、上記のような構成であり、請求項１記載の発明によれば、中央孔のクランプエリアが塗装された小径ディスクを大径ディスクと誤判定することが防止されるものである。
【発明を実施するための最良の形態】
【００１６】
以下、本発明の実施の形態について、図を用いて説明する。
【００１７】
（実施の形態１）
本実施の形態１は、同一出願人が出願した特願平１０−２１５２４５号（特開２０００−４８４５９号公報）に記載されたディスクチェンジャー装置のディスク判別装置として最適なものである。図１、図２は実施の形態１のディスク挿入口部分を示している。図１、図２において、５はディスクチェンジャー装置の筐体に固定される下基板であり、この下基板５に上基板６が回転可能に支持されている。上基板６と下基板５との間がディスク挿入口となる。
【００１８】
上基板６は開閉機構（図示せず）により駆動されて回動し、ディスク挿入口を開閉するものである。７Ａ、７Ｂは下基板５に取付けられた受光素子であり、受光素子７Ａはディスク挿入口の幅方向の左端部側に配置され、受光素子７Ｂはディスク挿入口の幅方向のほぼ中央に配置されている。８Ａ、８Ｂはこの上基板に形成された小孔、９は上基板６の上面に左右摺動自在に保持された摺動板であり、この摺動板９には小孔１０Ａと、大孔１０Ｂとが形成されている。１１は一端が上基板６に係止され、他端が摺動板９に係止されたバネであり、このバネ１１の弾性力により摺動板９は図２の右方向に付勢されている。
【００１９】
１２は摺動板９の一端に植設されたピンであり、このピン７は上基板６の切欠部を介し
てディスク挿入口内に突出している。ディスク挿入口に１２ｃｍＣＤ、アダプター１に保持された８ｃｍＣＤが挿入された際、または８ｃｍＣＤがディスク挿入口の左側から挿入された際には、挿入されたディスクによってピン７が駆動され摺動板９は左方向（図２）に摺動し、上基板６に形成された小孔８Ａは摺動板９により閉成される。
【００２０】
一方、上基板６の小孔８Ｂは摺動板９の大孔１０Ｂにより閉成されることはない。１３Ａ、１３Ｂはディスクチェンジャー装置の筐体（図示せず）に取付けられた発光素子であり、上記発光素子１３Ａと受光素子７Ａで第１のディスク検出装置が構成され、また上記発光素子Ｂと受光素子７Ｂで第２のディスク検出装置が構成される。
【００２１】
１４はディスク挿入口から挿入されたディスクを装置内に移送したり、装置内のディスクを装置外に排出するためのディスク移送用のローラである。１３Ｃはディスク挿入口より奥部に配置された発光素子であり、この発光素子１３Ｃと対向して受光素子７Ｃ（図示せず）が配置され、この発光素子１３Ｃと受光素子７Ｃ（図示せず）とで第３のディスク検出装置が構成される。１５は筐体内部に軸１６により回動可能に支持されたレバーであり、このレバー１５の先端にはディスクが当接するローラ１７が回動可能に保持されている。上記レバー１５はバネにより時計方向（図２）に付勢されている。
【００２２】
レバー１５の下面には突片１５Ａが一体に形成され、また筐体には発光素子１３Ｄと受光素子７Ｄからなる第４のディスク検出装置が設けられている。ローラ１４により装置内に移送されたディスク１８によりローラ１７が押されレバー１５が回動すると、レバー１５の下面の突片１５Ａが第４のディスク検出装置の発光素子１３Ｄと受光素子７Ｄ間に入ったり出たりしディスクが所定位置に移送されたことが検出されるものである。
【００２３】
図３は実施の形態１のローディング制御装置を示している。図３において、７Ａ、７Ｂ、７Ｃ、７Ｄは上記受光素子、１９は上記受光素子７Ａ、７Ｂ、７Ｃ、７Ｄの出力からディスクを判定するディスク判定回路であり、このディスク判定回路１９はマイクロコンピュータなどから構成される。２０は上記ディスク判定回路１９の判定結果に基づき制御されるローディング機構であり、このローディング機構は、上記ローラ１４、このローラ１４を回転駆動するモータ、減速機構などから構成され、このモータを正転、逆転させることにより、ディスク１８を装置内に移送したり、ディスク１８を装置外に排出したりするものである。
【００２４】
次に上記実施の形態１のディスク判別動作について説明する。図８はディスクローディング時の第１、第２、第３、第４のディスク検出装置の受光素子７Ａ、７Ｂ、７Ｃ、７Ｄの出力を示している。図８の受光素子７Ａ、７Ｂ、７Ｃの各出力において“Ｈ”はディスク１８により発光素子１３Ａ、１３Ｂ、１３Ｃから受光素子７Ａ、７Ｂ、Ｃへの光がディスク１８で遮光された状態、またはレバー１５の突片１５Ａが発光素子１３Ｄと受光素子７Ｄとの間に入り遮光した状態を示し、“Ｌ”は発光素子１３Ａ、１３Ｂ，１３Ｃ、１３Ｄからの光を受光素子７Ａ、７Ｂ、７Ｃ，７Ｄで受光している状態を示している。
【００２５】
図９はディスクローディング処理フローを示している。図９において，ディスク挿入口にディスク１８が挿入され、受光素子７Ａまたは７Ｂがディスク１８により遮光され“Ｌ”から“Ｈ”に変わるとローディング用のモータが回転を始めローディングが開始される。図９のステップ１でタイマー設定が行われ、ステップ２でタイマーがタイムアウトか否か判定され、タイムアウトと判定されるとリトライ処理に移行する。
【００２６】
ステップ２でタイムアウトでないと判定されると、ステップ３に進み、ディスク１８が引き抜かれたか否かが判定され、引き抜かれたと判定されると、ディスク挿入待ち処理へ進み、ディスク１８が引き抜かれていないと判定されるとステップ４に進む。ステップ４
ではディスク１８が判定ポイント１に達したか否か判定される。
【００２７】
判定ポイント１は図８に示すように受光素子７Ｃがディスク１８により遮光されるポイントである。ディスク１８が判定ポイント１に達したと判定されると、ステップ５で受光素子７Ａ、７Ｂの出力がともに“Ｈ”の場合には、２ｃｍＣＤが挿入された、またはクランプエリアが塗装された８ｃｍＣＤがディスク挿入口の左側に挿入されたと判定し、ローディング動作を継続する。一方、ステップ５で受光素子７Ａ、７Ｂの出力がともに“Ｈ”でない場合には、８ｃｍＣＤが挿入された、または８ｃｍＣＤが保持されていないアダプター１が挿入されたと判定しディスク排出処理を行う。
【００２８】
ステップ６ではタイマーのタイムアウトか否かが判定され、タイムアウトと判定された場合はリトライ処理に移行し、タイムアウトでないと判定されるとステップ７でディスクが引き抜かれたか否か判定され、ディスクが引き抜かれたと判定されるとディスク挿入待ち処理に移行し、ディスクが引き抜かれていないと判定されると、ステップ８に進む。ステップ８では、ディスクが判定ポイント３に達したか否か判定される。
【００２９】
判定ポイント３はローラ１４により移送されるディスク１８によりレバー１５のローラ１７が押され、発光素子１３Ｄと受光素子７Ｄ間にレバー１５の突片１５Ａが入り遮光する位置であり、この判定ポイント３では、判定ポイント１で受光素子７Ｃが“Ｈ”、受光素子７Ｂが“Ｈ”、受光素子７Ａの“Ｈ”が検出された後に受光素子７Ｄが“Ｈ”、受光素子７Ａが“Ｈ”を検出した場合にローディングを継続する。
【００３０】
ステップ８でディスクが判定ポイント３に達していないと判定されると、ステップ９に進み判定ポイント２でディスク判定が行われる。この判定ポイント２での判定は、判定ポイント１で受光素子７Ｃ＝“Ｈ”、受光素子７Ｂ＝“Ｈ”、受光素子７Ａ＝“Ｈ”が検出された後で判定ポイント３検出前に受光素子７Ａ＝“Ｌ”、受光素子７Ｂ＝“Ｈ”が検出された際に、ローディングディスクは、クランプエリアが塗装された８ｃｍＣＤがディスク挿入口の左側より挿入されたと判定して排出処理を行う。
【００３１】
ステップ９で“Ｎｏ”と判定されるとステップ６に戻る。ステップ８で判定ポイントに達したと判定されると、ステップ１０でタイムアウトの有無が判定され、またステップ１１でローディングが終了したか判定され、終了したと判定されると本処理を終了する。
【００３２】
図８（ａ）（ｂ）（ｃ）（ｄ）は、１２ｃｍＣＤが挿入された際の受光素子７Ａ、７Ｂ、７Ｃ、７Ｄの出力を示している。判定ポイント１では、受光素子７Ｃでディスクが検出された際に受光素子７Ａ、７Ｂが“Ｈ”であるためローディングを継続し、判定ポイント２でも受光素子７Ａ、７Ｂがともに“Ｈ”であるため、ローディングを継続し、判定ポイント３でも受光素子７Ａ、７Ｂが“Ｈ”であるためローディングを継続する。
【００３３】
図８（ｅ）はアダプター１の中心に８ｃｍＣＤが保持されたディスクが挿入された際の従来例の受光素子７Ａの出力であり、判定ポイント１で、アダプター１のスリット４から光がもれ受光素子７Ａで受光されるため、ローディングを継続せず排出されていた。しかしながら、実施の形態１では、アダプター１の中心に８ｃｍＣＤが保持されたディスクが挿入されると、アダプター１の外周部でピン１２が駆動され摺動板９が図２の左方向に摺動するため、この摺動板９によって上基板６の小孔８Ａが塞がれ、アダプター１のスリット４を通過する光が摺動板９によって遮光される。
【００３４】
このため、アダプター１の中心に８ｃｍＣＤが保持されたディスクが挿入された場合でも、受光素子７Ａの出力は図８（ａ）に示すと同様になり、ローディングが継続されるものである。図８（ｆ）はクランプエリアが塗装された８ｃｍＣＤディスクが挿入口の左側
に挿入された場合の受光素子７Ａの出力を示しており、判定ポイント２で受光素子７Ａが“Ｌ”になるため、排出処理が行われるものである。
【００３５】
前記の通り、実施の形態１によれば、１２ｃｍＣＤが挿入された場合、およびスリット４を有するアダプター１に保持された８ｃｍＣＤが挿入された場合には、ローディングが継続され筐体内のトレイまで移送されるのに対し、クランプエリアが塗装された８ｃｍＣＤが挿入口の左側より挿入された場合、および８ｃｍＣＤが保持されていないアダプター１が挿入された場合には排出されるものである。
【産業上の利用可能性】
【００３６】
以上のように、本発明にかかるディスク判別装置は、中央孔のクランプエリアが塗装された小径ディスクを大径ディスクと誤判定することが防止されるという効果を有し、ＣＤ（コンパクトディスク）などのディスクに記録された情報を再生するディスクプレーヤ、ディスクチェンジャー装置に使用するディスク判別装置に使用するディスク判別装置等として有用である。
【図面の簡単な説明】
【００３７】
【図１】本発明の実施の形態１におけるディスク判別装置の要部の上面図
【図２】同実施の形態１のディスク判別装置の要部の正面図
【図３】同実施の形態１のディスク判別装置のブロック図
【図４】同実施の形態１のディスク判別装置の要部の上面図
【図５】同実施の形態１のディスク判別装置の要部の正面図
【図６】同実施の形態１のディスク判別装置の要部の上面図
【図７】同実施の形態１のディスク判別装置の要部の正面図
【図８】同実施の形態１の動作説明図
【図９】同実施の形態１のフローチャート
【図１０】同実施の形態１に使用するアダプターの上面図
【図１１】小径のディスクの上面図
【符号の説明】
【００３８】
１  アダプター
２  孔
３  ディスク保持片
４  スリット
【図１】
2005122897.tif 000003
【図２】
2005122897.tif 000004
【図３】
2005122897.tif 000005
【図４】
2005122897.tif 000006
【図５】
2005122897.tif 000007
【図６】
2005122897.tif 000008
【図７】
2005122897.tif 000009
【図８】
2005122897.tif 000010
【図９】
2005122897.tif 000011
【図１０】
2005122897.tif 000012
【図１１】
2005122897.tif 000013